(57)【特許請求の範囲】
【請求項１】
外側防護衣料生地を含むフードを含む防護服であって、前記フードは使用者の頭部に着用されるように適合され、前記フードは内側表面および外側表面を有し、および顔側と、後側と、首用の開口部を形成する前記使用者の首の周囲に延在する首部分とを含み、
前記顔側は前記頭部の前側を覆うためのフード部分であって、前記顔用の開口部を画定するフード部分を設けられ、
前記後側は、前記頭部の後側を覆うためのフード部分であって、フード頭頂部分と、第１および第２の横フード部分とを含むフード部分を設けられ、前記第１および第２の横フード部分は前記フードの中心線の面に沿って結合し、
前記後側はさらに、前記フードの前記後側の内側にのみ固定され前記第１の横部分から前記第２の横部分まで延在する第１の弾性ストラップを有し、前記第１の弾性ストラップは前記フードの前記中心線の面に対してほぼ垂直に且つ前記フードの前記中心線の面を中心として位置付けられ、
前記第１の弾性ストラップは、各横部分で水平に延在し、頭蓋骨の後方および下側部分において、湾曲した後頭骨に前記フードを適合させ、前記フードを前記頭部上で直立に位置付けた状態に維持する、防護服。
【請求項２】
前記フードの前記後側の前記内側に固定された第１および第２の弾性安定化ストラップをさらに含み、前記第１の弾性安定化ストラップは前記頭頂部分から前記第１の横部分上の地点まで延在し、および前記第２の弾性安定化ストラップは前記頭頂部分から前記第２の横部分上の地点まで延在し、前記第１および第２の弾性安定化ストラップは前記フードの前記中心線の面の両側に対称的に位置付けられる、請求項１に記載の防護服。
【発明の詳細な説明】
【技術分野】
【０００１】
本発明は、改良されたフードを有する防護服に関する。それは化学的防護服に特に有用であると考えられているが、作業員を被覆または保護するために使用されるあらゆる衣料での使用を見出すことができる。
【背景技術】
【０００２】
防護衣料は着用者の体格のサイズの幅広いバリエーションに対応するためにいくつかの異なるサイズで供給できる一方、一般に、人体の様々な部位のあり得る全てのバリエーションに対応するために多数のサイズを有することは抑制される。加えて、フリーサイズの手法は一般にほとんどの身体部位に好適である。しかしながら、頭部のサイズのバリエーションは、特に厄介である。着用者の視界は非常に重要であり、フードが頭部に対して大きすぎる場合、視界が妨げられる可能性があるためである。従って必要とされるのは、着用者の頭部のサイズに調整できるフードを有する防護服である。
【発明の概要】
【課題を解決するための手段】
【０００３】
本発明は、外側防護衣料生地を含むフードを含む防護服であって、フードは使用者の頭部に着用されるように適合され、フードは内側表面および外側表面を有し、および顔側と、後側と、首用の開口部を形成する使用者の首の周囲に延在する首部分とを含み、顔側は頭部の前側を覆うためのフード部分であって、顔用の開口部を画定する、フード部分を設けられ、後側は頭部の後側を覆うためのフード部分であって、フード頭頂部分と、第１および第２の横フード部分とを含むフード部分を設けられ、第１および第２の横フード部分はフードの中心線の面に沿って結合し、後側はさらに、フードの後側の内側に固定され第１の横部分から第２の横部分まで延在する第１の弾性ストラップを有し、第１の弾性ストラップはフードの中心線の面に対してほぼ垂直に且つフードの中心線の面を中心として位置付けられる、防護服に関する。
【０００４】
いくつかの実施形態では、防護服はさらに、フードの後側の内側に固定された第２の弾性ストラップを含み、第２の弾性ストラップはフードの中心線の面上に位置付けられ、且つ頭頂部分から、第１および第２の横部分の結合地点まで延在する。
【０００５】
いくつかの実施形態では、防護服は、フードの後側の内側に固定された第１および第２の弾性安定化ストラップをさらに含み、第１の弾性安定化ストラップは頭頂部分から第１の横部分上の地点まで延在し、および第２の弾性安定化ストラップは頭頂部分から第２の横部分上の地点まで延在し、第１および第２の弾性安定化ストラップはフードの中心線の面の両側に対称的に位置付けられる。
【図面の簡単な説明】
【０００６】
【図１Ａ−１Ｂ】図１Ａ及び図１Ｂは、裏地生地なしで示される、フードを含む防護服の一種の前面図および後面図である。
【図２Ａ−２Ｂ】図２Ａ及び図２Ｂは、本明細書で参照されるフードの様々な部位および部分の図である。
【図３】裏地生地なしおよびありで示される、第１の弾性ストラップを備えたフードの前面および側面詳細図である。
【図４】裏地生地なしおよびありで示される、第１の弾性ストラップを備えたフードの前面および側面詳細図である。
【図５】裏地生地なしおよびありで示される、第１の弾性ストラップを備えたフードの前面および側面詳細図である。
【図６Ａ−６Ｂ】図６Ａ及び図６Ｂは、裏地生地ありで示される、フードを含む防護服の一実施形態の前面図および後面図である。
【図７Ａ−７Ｂ】図７Ａ及び図７Ｂは、裏地生地なしおよびありで示される、第１および第２の弾性ストラップを有するフードの様々な実施形態の前面および側面詳細図である。
【図８Ａ−８Ｂ】図８Ａ及び図８Ｂは、裏地生地なしおよびありで示される、第１および第２の弾性ストラップを有するフードの様々な実施形態の前面および側面詳細図である。
【図９Ａ−９Ｂ】図９Ａ及び図９Ｂは、裏地生地なしおよびありで示される、第１および第２の弾性ストラップを有するフードの様々な実施形態の前面および側面詳細図である。
【図１０Ａ−１０Ｂ】図１０Ａ及び図１０Ｂは、第１の弾性ストラップと第１および第２の弾性安定化ストラップとを有するフードの一実施形態の前面および側面詳細図である。
【発明を実施するための形態】
【０００７】
本発明は、改良されたフードを有する防護服に関し、改良されたフードには少なくとも１つの弾性ストラップが設けられ、それによりフードが着用者の頭部をより良好に保持することができるようになっている。図１Ａおよび１Ｂはフード２を含む防護服１の前面図および後面図であり、裏地生地のない状態で示されている。フードは、ほぼ水平な構成でフードの後部に固定された少なくとも１つの弾性ストラップを設けられる。
【０００８】
本発明をより良く理解するために、使用者の頭部に着用されるように適合された、本明細書で参照されるフードの全体的な領域を図２Ａおよび２Ｂに示す。図はそれぞれフードの側面図および後面図を示す。フード１０は内側表面および外側表面を有し、内側表面は着用者により近い表面であり、外側表面は着用者が作業を行う環境により近い。フードは顔側１２および後側１３を有する。２つの側は、フードを通して引かれ且つ線１１によって図示される仮想垂直面によって境界を定められる。この垂直面１１はフードの中心線を通るのではなく、フード着用者の耳の前でフードを通るように意図される。垂直面１１は、フード前部と、フードの中心点を通して引かれる仮想垂直面との間のほぼ中間に位置付けられると好ましい。フードはさらに、首用の開口部を形成しながら使用者の首の周りに延在する首部分１７を有する。顔側はさらに、頭部１４の前側を覆うためのフード部分であって、顔用の開口部を画定するフード部分を設けられる。後側はさらに、頭部の後側を覆うためのフード部分であって、フード頭頂部分１５の一部と、第１および第２の横フード部分１６ａおよび１６ｂとを含むフード部分を設けられる。第１および第２の横フード部分はフードの中心線の面に沿って結合される。フードの中心線の面は、フードの中心点を通って延び、フードを左側と右側に分離する仮想面であり、線１９によって図示されている。本明細書に記載され図に指定される領域または部分は、覆われる頭部の領域に概ね関連し、１つに結合された別個の生地片である必要はなく、必要に応じて切断されたおよび／または１つに結合された１つまたは複数の生地片であることができる。
【０００９】
フードの様々な変形形態の前面図および側面部を示す図３、４および５に示されるように、フードの後側は、フード生地の内側表面に固定された第１の弾性ストラップ２０を有する。第１の弾性ストラップは、第１の横部分から第２の横部分までフードの後部を横切って延在し、フードの中心線の面に対してほぼ垂直に、およびフードの中心線の面を中心として位置付けられる。好ましくは、第１の弾性ストラップは、各横部分においてフードの中心線の面から等距離に水平に延在する。いくつかの実施形態では第１の弾性ストラップは、弛緩したすなわち延ばされない状態で測定される際、少なくとも４インチ（１０ｃｍ）の合計長さを有する。いくつかの実施形態では第１の弾性ストラップは、弛緩したすなわち延ばされない状態で測定される際、約１４インチ（３６ｃｍ）の合計最大長さを有する。さらに、好ましい実施形態では、第１の弾性ストラップはフードの前側まで延在しない。いくつかの実施形態では、第１の弾性ストラップは、弛緩したすなわち延ばされない状態で測定される際、約６〜１２インチ（１５〜３０ｃｍ）の合計長さを有する。いくつかの実施形態では、第１の弾性ストラップは約６〜１５ｍｍ（１／４〜５／８インチ）の幅を有する。使用中、この弾性ストラップは、頭蓋骨の後方および下側部分において、湾曲した後頭骨にフードをより良好に適合させ、フードを頭部上で正確に直立に位置付けられた状態に維持する。
【００１０】
第１の弾性ストラップはストレッチ性および回復性を有し、好ましくは弾性材料から作製されたストラップである。ストラップは、弾性ストラップが頭部をより良好に保持するようにまたは頭部の後部で余分なフード生地を束ねるように伸張および収縮できるような物質の中でフード生地に取り付けられる。好ましい実施形態では、第１の弾性ストラップは、張力を受けた状態で外側フード生地の内側表面に縫合、接着またはヒートシールされる。
【００１１】
図５は第１の弾性ストラップ２０を有するフードの別の実施形態を示し、第１の弾性ストラップ２０は、外側防護生地の内側でフードに取り付けられた追加裏地生地２１とともにフード生地の内側表面に固定されている。換言すると、裏地生地は着用者と第１の弾性ストラップおよび外側防護生地との間に配置される。
【００１２】
図６Ａおよび６Ｂは、フード３１を含む防護服３０の一実施形態の前面図および後面図であり、フード３１は裏地生地３２と一緒に示され、第１の弾性ストラップ３３および第２の弾性ストラップ３４の両方を含む。明確にするために、裏地生地はフード部分のみに示されているが、裏地は必要に応じて防護服全体に連続し得ることが理解される。さらに、第１の弾性ストラップ３３および第２の弾性ストラップ３４はともに、フードに使用される外側防護生地の内側表面に固定される。
【００１３】
第２の弾性ストラップを第１の弾性ストラップとともに使用する様々な実施形態が、図７Ａ、７Ｂ、８Ａ、８Ｂ、９Ａおよび９Ｂに示されるフードの側面図および後面図によって示される。第２の弾性ストラップはフードの後部の内側に固定され、頭頂部分から、フードの後部の第１および第２の横部分の結合地点まで延在する。第２の弾性ストラップはフードの中心線の面１９上に位置付けられる。図７Ａ、７Ｂ、８Ａおよび８Ｂに示されるように、一実施形態において、第２の弾性ストラップ３４は、頭頂部分から、第１の弾性ストラップ３３の上の中心線の面上の地点まで延在する。図８Ａおよび８Ｂはさらに、第１の弾性ストラップ３３および第２の弾性３４ストラップの１つの好ましい実施形態を示し、第１の弾性ストラップ３３および第２の弾性３４ストラップは、外側防護生地の内側でフードに固定された追加裏地生地とともにフード生地の内側表面に固定される。換言すると、裏地生地は着用者と第１および第２の弾性ストラップおよび外側防護生地との間に配置される。
【００１４】
図に示されない別の実施形態では、第２の弾性ストラップは頭頂部分から、第１の弾性ストラップが中心線の面と交差する点まで延在可能であり、および第１の弾性ストラップに結合可能である。図９Ａおよび９Ｂに示されるような別の実施形態において、より長い第２の弾性ストラップ３５は頭頂部分から、第１の弾性ストラップ３３の下の中心線の面上の地点まで延在可能であり、いくつかの実施形態ではフードの首部分まで延在する。
【００１５】
第２の弾性ストラップはストレッチ性および回復性を有し、好ましくは弾性材料から作製される。第２の弾性ストラップは、第２の弾性ストラップが頭部をより良好に保持するようにまたは頭部の後部で余分なフード生地を束ねるように伸張および収縮できるような物質の中でフード生地に取り付けられる。好ましい実施形態では、第２の弾性ストラップは、張力を受けた状態で外側フード生地の内側表面に縫合、接着またはヒートシールされる。いくつかの実施形態では第２の弾性ストラップおよび第１の弾性ストラップは同じ材料から作製される。
【００１６】
いくつかの実施形態では、弛緩したすなわち延ばされない状態で測定される際、第２の弾性ストラップは第１の弾性ストラップより短い。いくつかの実施形態では第２の弾性ストラップは、弛緩したすなわち延ばされない状態で測定される際、４〜８インチ（１０〜２０ｃｍ）の長さを有する。第２の弾性ストラップが首部分の首筋の下に延在するいくつかの他の実施形態では、第２の弾性ストラップは、弛緩したすなわち延ばされない状態で測定される際、約４〜１４インチ（１０〜３６ｃｍ）の合計最大長さを有し得る。いくつかの実施形態では、第２の弾性ストラップは、約６〜１５ｍｍ（１／４〜５／８インチ）の幅を有する。
【００１７】
さらに別の実施形態において、図１０Ａおよび９Ｂは、第１の弾性ストラップ３３と、フードの後側の内側に固定された第１および第２の弾性安定化ストラップ３６ａおよび３６ｂとを含む防護服のフードを示す。第１の弾性安定化ストラップは頭頂部分から第１の横部分上の地点まで延在し、第２の弾性安定化ストラップは頭頂部分から第２の横部分上の地点まで延在する。第１および第２の弾性安定化ストラップは、フードの中心線の面の両側に対称的に配置される。
【００１８】
第１および第２の弾性安定化ストラップは、ストレッチ性および回復性を有し好ましくは弾性材料から作製されるという点で第１および／または第２の弾性ストラップに類似している。第１および第２の弾性安定化ストラップは、弾性安定化ストラップが頭部をより良好に保持するようにまたは頭部の後部で余分なフード生地を束ねるように伸張および収縮できるような物質の中でフード生地に取り付けられる。好ましい実施形態では、弾性安定化ストラップは、張力を受けた状態で生地に縫合、接着またはヒートシールされる。いくつかの実施形態では第１および第２の弾性安定化ストラップは第１および／または第２の弾性ストラップと同じ材料から作製される。
【００１９】
いくつかの好ましい実施形態では、弛緩したすなわち延ばされない状態で測定される際、第１および第２の弾性安定化ストラップは第１の弾性ストラップより短い。いくつかの実施形態では第２の弾性ストラップは、弛緩したすなわち延ばされない状態で測定される際、２〜８インチ（５〜２０ｃｍ）の長さを有する。いくつかの実施形態では、第１および第２の弾性安定化ストラップは、約６〜１５ｍｍ（１／４〜５／８インチ）の幅を有する。
【００２０】
本明細書に記載される防護服の実施形態はいずれも、裏地生地をさらに含むことができる。防護服中、裏地生地は、あらゆる弾性ストラップまたは安定化ストラップおよび防護生地の内側でフードに取り付けられると好ましい。換言すると裏地生地は着用者と、あらゆる第１および第２の弾性ストラップ、あらゆる第１および第２の弾性安定化ストラップおよび外側防護生地の内側との間に配置される。裏地は皮膚に心地良い任意の好適な生地であることができるが、特に有用なのは織布または不織布である。好ましくは裏地は、合成ポリマーから製造された繊維またはフィラメントを含むスパンレースまたはスパンボンド不織布である。
【００２１】
防護服は好ましくは、防護衣料生地および前に記載されたようなフードを含む。用語「防護衣料生地」は、多様な防護服生地、遮断生地、積層体およびフィルムを含むように意図されている。同じく用語「防護衣料生地」は、不織布および／または織布、ならびにフィルムまたは多層フィルムを備えたそのような材料の積層体を含む。いくつかの実施形態では、外側フード防護生地は、化学的に抵抗性の外側層を含む。いくつかの好ましい実施形態では防護衣料生地、従って衣料材料は、多層フィルムおよび不織布積層体である。いくつかの実施形態では衣料材料は、Ｔｙｖｅｋ（登録商標）スパンボンドポリエチレンのような不織布など、液体および／または粒子の透過に抵抗性のある不織布である。他の有用な防護衣料生地が多様な脅威から保護し、米国特許第５，６２６，９４７号明細書（Ｈａｕｅｒら）；同４，８５５，１７８号明細書（Ｌａｎｇｌｅｙ）；同４，２７２，８５１号明細書（Ｇｏｌｄｓｔｅｉｎ）；同４，７７２，５１０号明細書（ＭｃＣｌｕｒｅ）；同５，０３５，９４１号明細書（Ｂｌａｃｋｂｕｒｎ）；同４，２１４，３２１号明細書（Ｎｕｗａｙｓｅｒ）；同４，９２０，５７５号明細書（Ｂａｒｔａｓｉｓ）；同５，１６２，１４８号明細書（Ｂｏｙｅ）；同４，８３３，０１０号明細書（Ｌａｎｇｌｅｙ）に開示されるものを含むがこれらに限定されない。
【００２２】
いくつかの好ましい実施形態では、フードはレベルＡ、Ｂ、ＣまたはＤ防護服の一部である。レベルＡ衣服は、最高レベルの皮膚、呼吸および目の保護を必要とする状況で使用され、全体的に完全に封入する蒸気防護服である。レベルＢ衣服は、最高レベルの呼吸保護を必要とする状況で使用されるが、必要な皮膚保護レベルはより低い。レベルＣ衣服は、大気汚染、液体の跳ね、および他の直接的な接触が悪影響を及ぼすこともなければ露出した皮膚に吸収されることもない状況で使用される。レベルＤ衣服は、汚染が単に不愉快な状況で使用される。Ａ、Ｂ、ＣまたはＤレベルに格付けされる防護衣料の組合せが一緒に使用されてもよいいくつかの例が存在し得る。いくつかの実施形態ではフードは封入型化学抵抗性スーツの一部であり、いくつかの実施形態ではそれはカバーオールの一部であり、または任意の種類のシャツまたはコートまたは組合せ型衣服の一部である。
次に、本発明の好ましい態様を示す。
１．外側防護衣料生地を含むフードを含む防護服であって、前記フードは使用者の頭部に着用されるように適合され、前記フードは内側表面および外側表面を有し、および顔側と、後側と、首用の開口部を形成する前記使用者の首の周囲に延在する首部分とを含み、
前記顔側は前記頭部の前側を覆うためのフード部分であって、前記顔用の開口部を画定するフード部分を設けられ、
前記後側は、前記頭部の後側を覆うためのフード部分であって、フード頭頂部分と、第１および第２の横フード部分とを含むフード部分を設けられ、前記第１および第２の横フード部分は前記フードの中心線の面に沿って結合し、
前記後側はさらに、前記フードの前記後側の内側に固定され前記第１の横部分から前記第２の横部分まで延在する第１の弾性ストラップを有し、前記第１の弾性ストラップは前記フードの前記中心線の面に対してほぼ垂直に且つ前記フードの前記中心線の面を中心として位置付けられる、防護服。
２．前記フードの前記後側の前記内側に固定された第２の弾性ストラップをさらに含み、前記第２の弾性ストラップは前記フードの前記中心線の面上に位置付けられ、且つ前記頭頂部分から、前記第１および第２の横部分の結合地点まで延在する、上記１に記載の防護服。
３．前記第２の弾性ストラップが、前記第１および第２の横部分の結合地点であって、前記第１の弾性ストラップを同じく含む結合地点まで延在する、上記２に記載の防護服。
４．前記第２の弾性ストラップが、前記第１の弾性ストラップを越えた先の前記フードの前記首部分の前記第１および第２の横部分の結合地点まで延在する、上記２に記載の防護服。
５．前記フードの前記後側の前記内側に固定された第１および第２の弾性安定化ストラップをさらに含み、前記第１の弾性安定化ストラップは前記頭頂部分から前記第１の横部分上の地点まで延在し、および前記第２の弾性安定化ストラップは前記頭頂部分から前記第２の横部分上の地点まで延在し、前記第１および第２の弾性安定化ストラップは前記フードの前記中心線の面の両側に対称的に位置付けられる、上記１に記載の防護服。
６．前記外側防護生地の内側で前記フードに取り付けられた裏地生地をさらに含む、上記１〜５のいずれか一に記載の防護服。
７．前記フードが化学的に抵抗性の外側層を含む、上記１〜５のいずれか一に記載の防護服。
【図１Ａ−１Ｂ】
0006622697.tif 000002
【図２Ａ】
0006622697.tif 000003
【図２Ｂ】
0006622697.tif 000004
【図３】
0006622697.tif 000005
【図４】
0006622697.tif 000006
【図５】
0006622697.tif 000007
【図６Ａ−６Ｂ】
0006622697.tif 000008
【図７Ａ】
0006622697.tif 000009
【図７Ｂ】
0006622697.tif 000010
【図８Ａ】
0006622697.tif 000011
【図８Ｂ】
0006622697.tif 000012
【図９Ａ】
0006622697.tif 000013
【図９Ｂ】
0006622697.tif 000014
【図１０Ａ】
0006622697.tif 000015
【図１０Ｂ】
0006622697.tif 000016